(57)【要約】【課題】優れた防護性を有する防護衣及び防護衣セットを提供する。【解決手段】液状物の浸透を抑制する防護衣であって、少なくとも表地１１と裏地２１５とを備え、表地１１は、１枚以上の表地用生地１２と、表地用生地１２の生地端同士を縫合している表地縫合部１３とを有し、裏地２１５は、１枚以上の裏地用生地２１６と、裏地用生地２１６の生地端同士を縫合している裏地縫合部２１７とを有する。表地縫合部１３の位置と、裏地縫合部２１７の位置とが、該防護衣の状態で重ならず、ずらされていることが好ましい。表地１１の開口部分１１Ｒ、Ｌ、Ｎ、Ｗと、裏地２１５の開口部分１５Ｒ、Ｌ、Ｎ、Ｗとが、各開口部分の端から２０ｍｍ幅の領域内において縫合されていることが好ましい。裏地用生地２１６は活性炭を含むことが好ましい。【選択図】図５
2015221948.tif 000002
【特許請求の範囲】
【請求項１】
液状物の浸透を抑制する防護衣であって、
少なくとも表地と裏地とを備え、
前記表地は、
１枚以上の表地用生地と、
前記表地用生地の生地端同士を縫合している表地縫合部とを有し、
前記裏地は、
１枚以上の裏地用生地と、
前記裏地用生地の生地端同士を縫合している裏地縫合部とを有することを特徴とする防護衣。
【請求項２】
前記表地縫合部の位置と、前記裏地縫合部の位置とが、該防護衣の状態で重ならず、ずらされている請求項１に記載の防護衣。
【請求項３】
前記表地の開口部分と、前記裏地の開口部分とが、各開口部分の端から２０ｍｍ幅の領域内において縫合されている請求項１又は２に記載の防護衣。
【請求項４】
前記裏地用生地は活性炭を含む請求項１〜３のいずれか１項に記載の防護衣。
【請求項５】
前記表地用生地は、
表袖用生地と表身頃用生地とを含み、
前記表地縫合部は、
前記表袖用生地の生地端同士を縫合して、表袖を縫製している表袖縫合部と、
前記表身頃用生地の生地端同士を縫合して、表身頃を縫製している表身頃縫合部と、
前記表袖と前記表身頃とを縫合している表袖身頃縫合部とを含み、
前記裏地用生地は、
裏袖用生地と裏身頃用生地とを含み、
前記裏地縫合部は、
前記裏袖用生地の生地端同士を縫合して、裏袖を縫製している裏袖縫合部と、
前記裏身頃用生地の生地端同士を縫合して、裏身頃を縫製している裏身頃縫合部と、
前記裏袖と前記裏身頃とを縫合している裏袖身頃縫合部とを含む請求項１〜４のいずれか１項に記載の防護衣。
【請求項６】
さらに、
前記表地及び前記裏地の少なくとも一方に縫い付けられているファスナと、
前記ファスナの全体と、該ファスナの縫い付け部分とを、前記表地の側から覆うように、該表地に縫い付けられ、前記裏地には縫い付けられていない表側ファスナカバーとを備える請求項１〜５のいずれか１項に記載の防護衣。
【請求項７】
さらに、
前記表地及び前記裏地の少なくとも一方に縫い付けられているファスナと、
前記ファスナの全体と、該ファスナの縫い付け部分とを、前記裏地の側から覆うように、該裏地に縫い付けられ、前記表地には縫い付けられていない裏側ファスナカバーとを備える請求項１〜５のいずれか１項に記載の防護衣。
【請求項８】
請求項１〜７のいずれか１項に記載の防護衣と、
液状物の浸透を抑制する機能を有する防護グローブと、
液状物の浸透を抑制する機能を有する防護シューズと、
液状物の浸透を抑制する機能を有する防護マスクと、
を備え、
前記防護衣には、少なくとも、袖口及び裾に開口部分があることを特徴とする防護衣セット。
【発明の詳細な説明】
【技術分野】
【０００１】
本発明は、液状物の浸透を抑制する防護衣及び防護衣セットに関し、特に、有機リン系化合物のように皮膚から吸収されて人体に悪影響を及ぼす液状有害化学物質から人体を防護するための技術に関するものである。
【背景技術】
【０００２】
有害化学物質等から人体を防護する防護衣服については、従来から様々な提案がなされている。例えば、ゴム曳き布で構成された防護衣服は、優れた防護性を有するが、重い上に透湿性及び通気性が殆どないため、機能性に劣り、且つ使用者に多大な熱ストレスが加わるという問題がある。このような防護衣服は、長時間の着用が困難であり、特に酷暑環境下や肉体労働において使用するのには適していない。
【０００３】
特許文献１に、セルロースをベースとするポリマーで構成されている遮断層により、液体遮断性及び水蒸気透過性を有し、有機蒸気、エアロゾル及び生物学的作用物質を透過しないラミネート、及び当該ラミネートを用いた被服類が開示されている。特許文献１の被服類は、上記ゴム曳き布で構成された防護衣服と比べると軽く且つ透湿性を有するので作業性に優れるが、通気性が殆どないため使用者に多大な熱ストレスが加わるという問題が残る。
【０００４】
特許文献２に、水蒸気透過性の柔軟な繊維材料又は多孔質有機高分子膜の基材に、架橋ポリアルキレニミン又はポリアリルアミンをコーティングした保護カバーが開示されている。特許文献２の保護カバーは、特許文献１のラミネートと同様に通気性が殆どないため、当該保護カバーを用いた防護衣服には、使用者に多大な熱ストレスが加わるという問題が残る。
【０００５】
特許文献３に、カットパイル布帛で構成される液状有毒化学物質防護層を有する防護衣用材が開示されている。特許文献３の防護衣用材は、特に加圧下での液滴の浸透を防ぎ、且つ通気性及び透湿性に優れているため、当該防護衣用材を用いた防護衣は、着用時において暑熱感、蒸れ感が少ないという優れた特徴を有する。
【０００６】
また、特許文献４に、防護衣の縫い目に使用するシールテープが開示されている。
特許文献４のシールテープは、防護衣の縫い目から、ガス状又は液状有機化学物質及びエアロゾルが侵入するのを抑制するという優れた特徴を有する。
【先行技術文献】
【特許文献】
【０００７】
【特許文献１】特表平１１−５０５７７５号公報
【特許文献２】特表平７−５０４５８０号公報
【特許文献３】特開平８−３０８９４５号公報
【特許文献４】特開２００８−９４９９９号公報
【発明の概要】
【発明が解決しようとする課題】
【０００８】
特許文献３の防護衣用材を用いた防護衣の縫い目に、特許文献４のシールテープを使用すれば、着用時において暑熱感、蒸れ感が少ない上に、さらに優れた防護性を有する防護衣となることが期待できる。しかしながら、シールテープを貼付した部分は、他の部分より分厚くなるため柔軟性に劣り、且つ負担がかかりやすいので、繰返しの着用や洗濯等によりシールテープが剥がれたり破損して、防護性が低下することが懸念される。
【０００９】
本発明は以上のような従来の課題を考慮してなされたものであり、縫い目にシールテープを貼付するなどして縫い目の部分を分厚くすることなく、優れた防護性を有する防護衣及び防護衣セットを提供することを目的とする。
【課題を解決するための手段】
【００１０】
本発明は以上のような従来の課題を考慮してなされたものであり、本発明に係る防護衣は、液状物の浸透を抑制する防護衣であって、少なくとも表地と裏地とを備え、前記表地は、１枚以上の表地用生地と、前記表地用生地の生地端同士を縫合している表地縫合部とを有し、前記裏地は、１枚以上の裏地用生地と、前記裏地用生地の生地端同士を縫合している裏地縫合部とを有することを特徴とする。
【００１１】
また防護衣において、前記表地縫合部の位置と、前記裏地縫合部の位置とが、該防護衣の状態で重ならず、ずらされていることが好ましい。また防護衣において、前記表地の開口部分と、前記裏地の開口部分とが、各開口部分の端から２０ｍｍ幅の領域内において縫合されていることが好ましい。また防護衣において、前記裏地用生地は活性炭を含むことが好ましい。
【００１２】
また防護衣において、前記表地用生地は、表袖用生地と表身頃用生地とを含み、前記表地縫合部は、前記表袖用生地の生地端同士を縫合して、表袖を縫製している表袖縫合部と、前記表身頃用生地の生地端同士を縫合して、表身頃を縫製している表身頃縫合部と、前記表袖と前記表身頃とを縫合している表袖身頃縫合部とを含み、前記裏地用生地は、裏袖用生地と裏身頃用生地とを含み、前記裏地縫合部は、前記裏袖用生地の生地端同士を縫合して、裏袖を縫製している裏袖縫合部と、前記裏身頃用生地の生地端同士を縫合して、裏身頃を縫製している裏身頃縫合部と、前記裏袖と前記裏身頃とを縫合している裏袖身頃縫合部とを含むことが好ましい。
【００１３】
また防護衣において、さらに、前記表地及び前記裏地の少なくとも一方に縫い付けられているファスナと、前記ファスナの全体と、該ファスナの縫い付け部分とを、前記表地の側から覆うように、該表地に縫い付けられ、前記裏地には縫い付けられていない表側ファスナカバーとを備えることが好ましい。
【００１４】
また防護衣において、さらに、前記表地及び前記裏地の少なくとも一方に縫い付けられているファスナと、前記ファスナの全体と、該ファスナの縫い付け部分とを、前記裏地の側から覆うように、該裏地に縫い付けられ、前記表地には縫い付けられていない裏側ファスナカバーとを備えることが好ましい。
【００１５】
本発明は以上のような従来の課題を考慮してなされたものであり、本発明に係る防護衣セットは、上記記載の防護衣と、液状物の浸透を抑制する機能を有する防護グローブと、液状物の浸透を抑制する機能を有する防護シューズと、液状物の浸透を抑制する機能を有する防護マスクとを備え、前記防護衣には、少なくとも、袖口及び裾に開口部分があることを特徴とする。
【発明の効果】
【００１６】
本発明に係る防護衣は、表地用生地の生地端同士を縫合した表地縫合部と、裏地用生地の生地端同士を縫合した裏地縫合部とを有するため、表地と裏地とをそれぞれ独立に縫製することができ、表地縫合部から液状物が侵入するのを裏地が抑制し、裏地縫合部から液状物が侵入するのを表地が抑制することができる。よって、該防護衣は、縫い目にシールテープを貼付するなどして縫い目の部分を分厚くすることなく優れた防護性を有することができ、分厚くなった部分が繰返しの着用や洗濯等により剥がれたり破損して防護性が低下するようなことがなく、優れた防護性を有する状態を長期間維持することができる。
【００１７】
本発明に係る防護衣セットは、少なくとも袖口及び裾に開口部分がある上記防護衣と、袖口の開口部分から出す手を防護する防護グローブと、裾の開口部分から出す足を防護する防護シューズとを備えるので、防護衣の袖口及び裾の開口部分から液状物が人体に接触することを防止することができる。
【図面の簡単な説明】
【００１８】
【図１】実施形態１に係る防護衣の概略図である。
【図２】（ａ）は、実施形態１に係る上着の表地を示す概略図であり、（ｂ）は、該上着の裏地を示す概略図である。
【図３】（ａ）は、実施形態１に係るズボンの表地を示す概略図であり、（ｂ）は、該ズボンの裏地を示す概略図である。
【図４】（ａ）は、実施形態１に係るフードの表地を示す概略図であり、（ｂ）は、概フードの裏地を示す概略図である。
【図５】（ａ）は、実施形態２に係る上着の表地を示す概略図であり、（ｂ）は、該上着の裏地を示す概略図である。
【図６】（ａ）は、実施形態２に係るズボンの表地を示す概略図であり、（ｂ）は、該ズボンの裏地を示す概略図である。
【図７】（ａ）は、実施形態２に係るフードの表地を示す概略図であり、（ｂ）は、概フードの裏地を示す概略図である。
【図８】実施形態３に係る上着を示す概略図である。
【図９】ファスナを取り付ける部分周辺の断面図である。
【図１０】実施形態４に係る防護衣セットの概略図である。
【発明を実施するための形態】
【００１９】
（実施形態１）
実施形態１に係る防護衣は、液状物の浸透を抑制する防護衣であって、少なくとも表地と裏地とを備え、前記表地は、１枚以上の表地用生地と、前記表地用生地の生地端同士を縫合している表地縫合部とを有し、前記裏地は、１枚以上の裏地用生地と、前記裏地用生地の生地端同士を縫合している裏地縫合部とを有することを特徴とする。
【００２０】
これにより、該防護衣は、表地と裏地とをそれぞれ独立に縫製することができ、表地縫合部から液状物が侵入するのを裏地が抑制し、裏地縫合部から液状物が侵入するのを表地が抑制することができる。よって、該防護衣は、縫い目にシールテープを貼付するなどして縫い目の部分を分厚くすることなく優れた防護性を有することができ、分厚くなった部分が繰返しの着用や洗濯等により剥がれたり破損して防護性が低下するようなことがなく、優れた防護性を有する状態を長期間維持することができる。
【００２１】
図１は、実施形態１に係る防護衣の概略図である。図１に示すように防護衣１は、上着１０、ズボン２０及びフード３０を含む。
上着１０、ズボン２０及びフード３０はそれぞれ、少なくとも表地と裏地とを備えている。
【００２２】
各表地は、１枚以上の表地用生地と表地用生地の生地端同士を縫合している表地縫合部とを有する。各裏地は、１枚以上の裏地用生地と、裏地用生地の生地端同士を縫合している裏地縫合部とを有する。なお、表地と裏地との間に中地を備える場合には、各中地は、各表地及び各表地と同様に、１枚以上の中地用生地と、中地用生地の生地端同士を縫合している中地縫合部とを有する独立した構造であってもよいし、表地又は裏地のいずれか一方と一緒に縫合されていてもよい。
【００２３】
各表地用生地及び各裏地用生地は、特許文献３に記載の防護衣用材と同等のものである。中地用生地に、各表地用生地及び各裏地用生地と同等のものを用いた場合には、より優れた防護性を有することができるので好ましい。また、中地用生地に各種の機能性衣料を用いて、保温機能、有害ガス吸収機能、熱線遮断機能及び放射線遮蔽機能等の様々な機能を付加することも好ましい。
【００２４】
上着１０は、表地１１と裏地１５とを備えている。
図２（ａ）は、表地１１を示す概略図である。図２（ｂ）は、裏地１５を示す概略図である。表地１１と裏地１５とは、ほぼ同じ形状であるか、または表地１１より裏地１５の方が表地１１の生地の厚さ分程度小さいことが好ましい。
【００２５】
図２（ａ）に示す表地１１は、１枚以上の表地用生地１２と、複数の表地縫合部１３とを有している。表地用生地１２は、表右袖用生地１２Ｒと、表左袖用生地１２Ｌと、表身頃用生地１２Ｃとを含む。表地縫合部１３は、表右袖縫合部１３Ｒと、表左袖縫合部１３Ｌと、表身頃縫合部１３Ｃと、表右袖身頃縫合部１３ＲＣと、表左袖身頃縫合部１３ＬＣを含む。
【００２６】
表右袖縫合部１３Ｒは、表右袖用生地１２Ｒの生地端同士を縫合して、表右袖１４Ｒを縫製している。同様に、表左袖縫合部１３Ｌは、表左袖用生地１２Ｌの生地端同士を縫合して、表左袖１４Ｌを縫製している。同様に、表身頃縫合部１３Ｃは、表身頃用生地１２Ｃの生地端同士を縫合して、表身頃１４Ｃを縫製している。表右袖身頃縫合部１３ＲＣは、表右袖１４Ｒの生地端と表身頃１４Ｃの生地端とを縫合し、表左袖身頃縫合部１３ＬＣは、表左袖１４Ｌの生地端と表身頃１４Ｃの生地端とを縫合しており、これらにより表地１１が縫製されている。
【００２７】
図２（ｂ）に示す裏地１５は、表地１１と同様に、１枚以上の裏地用生地１６と、複数の裏地縫合部１７とを有している。裏地用生地１６は、裏右袖用生地１６Ｒと、裏左袖用生地１６Ｌと、裏身頃用生地１６Ｃとを含む。裏地縫合部１７は、裏右袖縫合部１７Ｒと、裏左袖縫合部１７Ｌと、裏身頃縫合部１７Ｃと、裏右袖身頃縫合部１７ＲＣと、裏左袖身頃縫合部１７ＬＣとを含む。
【００２８】
裏右袖縫合部１７Ｒは、裏右袖用生地１６Ｒの生地端同士を縫合して、裏右袖１８Ｒを縫製している。同様に、裏左袖縫合部１７Ｌは、裏左袖用生地１６Ｌの生地端同士を縫合して、裏左袖１８Ｌを縫製している。同様に、裏身頃縫合部１７Ｃは、裏身頃用生地１６Ｃの生地端同士を縫合して、裏身頃１８Ｃを縫製している。裏右袖身頃縫合部１７ＲＣは、裏右袖１８Ｒの生地端と裏身頃１８Ｃの生地端とを縫合し、裏左袖身頃縫合部１７ＬＣは、裏左袖１８Ｌの生地端と裏身頃１８Ｃの生地端とを縫合しており、これらにより裏地１５が縫製されている。
【００２９】
なお、表地１１と裏地１５とは必ずしも縫合されていなくてもよいが、表地１１の開口部分と裏地１５の開口部分とが縫合されていることが好ましい。また、表地１１の開口部分と裏地１５の開口部分とが各開口部分の端から２０ｍｍ幅の領域内において縫合されていることがより好ましい。
【００３０】
詳細には、表地１１の開口部分は、表右袖口開口部分１１Ｒ、表左袖口開口部分１１Ｌ、表首回り開口部分１１Ｎ及び表腹部開口部分１１Ｗである。同様に、裏地１５の開口部分は、裏右袖口開口部分１５Ｒ、裏左袖口開口部分１５Ｌ、裏首回り開口部分１５Ｎ及び裏腹部開口部分１５Ｗである。
【００３１】
従って、上着１０は、さらに、表右袖口開口部分１１Ｒと裏右袖口開口部分１５Ｒとを各開口部分の端から２０ｍｍ幅の領域内において縫合した右袖口縫合部１９Ｒ（図１参照）、表左袖口開口部分１１Ｌと裏左袖口開口部分１５Ｌとを各開口部分の端から２０ｍｍ幅の領域内において縫合した左袖口縫合部１９Ｌ（図１参照）、表首回り開口部分１１Ｎと裏首回り開口部分１５Ｎとを各開口部分の端から２０ｍｍ幅の領域内において縫合した首回り縫合部１９Ｎ（図１参照）、及び、表腹部開口部分１１Ｗと裏腹部開口部分１５Ｗとを各開口部分の端から２０ｍｍ幅の領域内において縫合した腹部縫合部１９Ｗ（図１参照）を備えることが好ましい。
【００３２】
ズボン２０は、表地２１と裏地２５とを備えている。
図３（ａ）は、表地２１を示す概略図である。図３（ｂ）は、裏地２５を示す概略図である。
表地２１と裏地２５とは、ほぼ同じ形状であるか、または表地２１より裏地２５の方が表地２１の生地の厚さ分程度小さいことが好ましい。
【００３３】
表地２１は、１枚以上の表地用生地２２と、複数の表地縫合部２３とを有している。表地用生地２２は、表右用生地２２Ｒと、表左用生地２２Ｌとを含む。表地縫合部２３は、表右縫合部２３Ｒと、表左縫合部２３Ｌと、表左右縫合部２３ＲＬとを含む。
【００３４】
表右縫合部２３Ｒは、表右用生地２２Ｒの生地端同士を縫合して、表右ズボン２４Ｒを縫製している。同様に、表左縫合部２３Ｌは、表左用生地２２Ｌの生地端同士を縫合して、表左ズボン２４Ｌを縫製している。表左右縫合部２３ＲＬは、表右ズボン２４Ｒの生地端と表左ズボン２４Ｌの生地端とを縫合して、表地２１を縫製している。
【００３５】
裏地２５は、１枚以上の裏地用生地２６と、複数の裏地縫合部２７とを有している。裏地用生地２６は、裏右用生地２６Ｒと、裏左用生地２６Ｌとを含む。裏地縫合部２７は、裏右縫合部２７Ｒと、裏左縫合部２７Ｌと、裏左右縫合部２７ＲＬとを含む。
【００３６】
裏右縫合部２７Ｒは、裏右用生地２６Ｒの生地端同士を縫合して、裏右ズボン２８Ｒを縫製している。同様に、裏左縫合部２７Ｌは、裏左用生地２６Ｌの生地端同士を縫合して、裏左ズボン２８Ｌを縫製している。裏左右縫合部２７ＲＬは、裏右ズボン２８Ｒの生地端と裏左ズボン２８Ｌの生地端とを縫合して、裏地２５を縫製している。
【００３７】
なお、表地２１と裏地２５とは必ずしも縫合されていなくてもよいが、表地２１の開口部分と裏地２５の開口部分とが縫合されていることが好ましい。また、表地２１の開口部分と裏地２５の開口部分とが各開口部分の端から２０ｍｍ幅の領域内において縫合されていることがより好ましい。
【００３８】
詳細には、表地２１の開口部分は、表右裾開口部分２１Ｒ、表左裾開口部分２１Ｌ及び表腹部開口部分２１Ｗである。同様に、裏地２５の開口部分は、裏右裾開口部分２５Ｒ、裏左裾開口部分２５Ｌ及び裏腹部開口部分２５Ｗである。
【００３９】
従って、ズボン２０は、さらに、表右裾開口部分２１Ｒと裏右裾開口部分２５Ｒとを各開口部分の端から２０ｍｍ幅の領域内において縫合した右裾縫合部２９Ｒ（図１参照）、表左裾開口部分２１Ｌと裏左裾開口部分２５Ｌとを各開口部分の端から２０ｍｍ幅の領域内において縫合した左裾縫合部２９Ｌ（図１参照）、及び、表腹部開口部分２１Ｗと裏腹部開口部分２５Ｗとを各開口部分の端から２０ｍｍ幅の領域内において縫合した腹部縫合部２９Ｗ（図１参照）を備えることが好ましい。
【００４０】
また、ズボン２０がずり落ちないようにサスペンダーを使用してもよいし、腹部縫合部２９Ｗにベルトループ（「ベルト通し」とも言う）を設けてこれにベルトや紐を通したり、腹部縫合部２９Ｗにゴム紐を縫い込むなどして使用してもよい。
【００４１】
フード３０は、表地３１と、裏地３５とを備えている。
図４（ａ）は、表地３１を示す概略図である。図４（ｂ）は、裏地３５を示す概略図である。
表地３１と裏地３５とは、ほぼ同じ形状であるか、または表地３１より裏地３５の方が表地３１の生地の厚さ分程度小さいことが好ましい。
【００４２】
表地３１は、１枚以上の表地用生地３２と、１つの表地縫合部３３とを有している。表地用生地３２は、表前用生地３２Ｆと、表後用生地３２Ｒとを含む。表地縫合部３３は、表前後縫合部３３ＦＲを含む。表前後縫合部３３ＦＲは、表前用生地３２Ｆの生地端と、表後用生地３２Ｒの生地端とを縫合して、表地３１を縫製している。
【００４３】
裏地３５は、１枚以上の裏地用生地３６と、１つの裏地縫合部３７とを有している。裏地用生地３６は、裏前用生地３６Ｆと、裏後用生地３６Ｒとを含む。裏地縫合部３７は、裏前後縫合部３７ＦＲを含む。裏前後縫合部３７ＦＲは、裏前用生地３６Ｆの生地端と、裏後用生地３６Ｒの生地端とを縫合して、裏地３５を縫製している。
【００４４】
表地３１の開口部分は、表右目開口部分３１Ｒ、表左目開口部分３１Ｌ、表鼻口開口部分３１Ｍ及び表首回り開口部分３１Ｎである。同様に、裏地３５の開口部分は、裏右目開口部分３５Ｒ、裏左目開口部分３５Ｌ、裏鼻口開口部分３５Ｍ及び裏首回り開口部分３５Ｎである。
【００４５】
なお、表右目開口部分３１Ｒ及び裏右目開口部分３５Ｒとは必ずしも縫合されていなくてもよいが、これらが縫合されていることが好ましい。同様に、表左目開口部分３１Ｌ及び裏左目開口部分３５Ｌとは必ずしも縫合されていなくてもよいが、これらが縫合されていることが好ましい。同様に、表鼻口開口部分３１Ｍ及び裏鼻口開口部分３５Ｍとは必ずしも縫合されていなくてもよいが、これらが縫合されていることが好ましい。
【００４６】
通常は、両目を保護する面とガスマスク（図示せず：一体品が望ましい）とを装着した上からフード３０を被って使用する。そのため、表右目開口部分３１Ｒ及び裏右目開口部分３５Ｒから該面越しに右目の視野を得ることができ、表左目開口部分３１Ｌ及び裏左目開口部分３５Ｌから該面越しに左目の視野を得ることができる。また該ガスマスクの吸入口を表鼻口開口部分３１Ｍ及び裏鼻口開口部分３５Ｍからフード３０の外へ出すことができる。
【００４７】
また、表地３１の表首回り開口部分３１Ｎと裏地３５の裏首回り開口部分３５Ｎとは必ずしも縫合されていなくてもよいが、これらが縫合されていることが好ましい。また、表首回り開口部分３１Ｎと裏首回り開口部分３５Ｎとが各開口部分の端から２０ｍｍ幅の領域内において縫合されていることがより好ましい。従って、フード３０は、さらに、表首回り開口部分３１Ｎと裏首回り開口部分３５Ｎとを各開口部分の端から２０ｍｍ幅の領域内において縫合した首回り縫合部３８Ｎ（図１参照）を備えることが好ましい。
【００４８】
なお、防護衣１は、上着１０とズボン２０とが別々であるが、上着とズボンとを一体化させたツナギタイプであってもよい。上着１０とズボン２０とが別々の場合には、上着とズボンとの隙間の腰周り開口部分から液状物が浸透するのを防ぐために、上着とズボンとを互いに重ね合わせる部分が必要であり、この部分を上下重ね代と呼ぶこととする。
【００４９】
上下重ね代の幅は、標準的な人間の胴体の長さを数サイズに分類して、どのサイズであっても、着用者が通常想定される動きをする範囲において上着とズボンとが例えば４０ｍｍ以上重なるように設定される。また、特定の着用者の胴体の長さが標準的な長さよりも長い場合には、上下重ね代の幅を該着用者に合わせて設定した防護衣を特注で作製する。
【００５０】
ここで上下重ね代の幅を４０ｍｍ以上重なるように設定したのは、上着１０の腹部開口部分の縫い代が２０ｍｍ以下であり、ズボン２０の腹部開口部分の縫い代が２０ｍｍ以下であるので、上下重ね代の幅を４０ｍｍ以上とすることにより、上着１０の腹部開口部分の縫い代とズボン２０の腹部開口部分の縫い代とが重ならないようにすることができ、防護性を高めることができるからである。
【００５１】
また、上着１０とフード３０の隙間の首周り開口部分から液状物が浸透するのを防ぐために、上着１０とフード３０とを互いに重ね合わせる部分が必要であり、この部分をフード用重ね代と呼ぶこととする。フード用重ね代も、上記上下重ね代と同様に設定され、上着とフードとが例えば４０ｍｍ以上重なるように設定される。なお、上着１０とフード３０とを一体化させてもよいし、上着１０とズボン２０とフード３０とを一体化させてもよい。
【００５２】
以上のように、実施形態１に係る防護衣１は、表地１１と裏地１５とがそれぞれ独立に縫製され、表地１１と裏地１５は全く縫い合わされていないか、あるいは、開口部分以外が縫い合わされていないため、防護衣１の縫い目から液状物が侵入するのを抑制することができ、優れた防護性を有する。
【００５３】
（実施形態２）
実施形態２に係る防護衣は、表地縫合部の位置と裏地縫合部の位置とが、該防護衣の状態で重ならず、ずらされている。これにより、該防護衣は、表地縫合部から防護衣内部に侵入した液状物が、さらに裏地縫合部から防護衣の裏側（人体側）へ侵入することを防止することができる。
【００５４】
実施形態２に係る防護衣２は、実施形態１の上着１０の代わりに上着２１０を、実施形態１のズボン２０の代わりにズボン２２０を、実施形態１のフード３０の代わりにフード２３０を含む。なお、実施形態１の防護衣１と同様の構成要素には同一番号を記し、その説明を省略する。
【００５５】
上着２１０は、実施形態１の上着１０と較べ、表地縫合部の位置と裏地縫合部との位置とが、防護衣の状態で重ならず、ずらされている点のみが異なり、その他の構成は上着１０と同様である。上着２１０は、表地１１と裏地２１５とを備えている。
【００５６】
図５（ａ）は、表地１１を示す概略図である。図５（ｂ）は、裏地２１５を示す概略図である。
図５（ｂ）に示す裏地２１５は、表地１１と同様に、１枚以上の裏地用生地２１６と、複数の裏地縫合部２１７とを有している。
【００５７】
裏地用生地２１６は、実施形態１の裏地用生地１６と同様に、裏右袖用生地２１６Ｒと、裏左袖用生地２１６Ｌと、裏身頃用生地２１６Ｃとを含む。裏地縫合部２１７は、実施形態１の裏地縫合部１７と同様に、裏右袖縫合部２１７Ｒと、裏左袖縫合部２１７Ｌと、裏身頃縫合部２１７Ｃと、裏右袖身頃縫合部２１７ＲＣと、裏左袖身頃縫合部２１７ＬＣとを含む。
【００５８】
裏地縫合部２１７の位置は、表地縫合部１３の位置と、防護衣２の状態で重ならず、ずらされている。詳細には、表右袖縫合部１３Ｒと裏右袖縫合部２１７Ｒ、表左袖縫合部１３Ｌと裏左袖縫合部２１７Ｌ、表身頃縫合部１３Ｃと裏身頃縫合部２１７Ｃ、表右袖身頃縫合部１３ＲＣと裏右袖身頃縫合部２１７ＲＣ、及び、表左袖身頃縫合部１３ＬＣと裏左袖身頃縫合部２１７ＬＣが、防護衣２の状態で重ならず、ずらされている。
【００５９】
ズボン２２０は、実施形態１のズボン２０と較べ、表地縫合部の位置と裏地縫合部との位置とが、防護衣の状態で重ならず、ずらされている点のみが異なり、その他の構成はズボン２０と同様である。
【００６０】
ズボン２２０は、表地２１と裏地２２５とを備えている。
図６（ａ）は、表地２１を示す概略図である。図６（ｂ）は、裏地２２５を示す概略図である。
図６に示す裏地２２５は、表地２１と同様に、１枚以上の裏地用生地２２６と、複数の裏地縫合部２２７とを有している。
【００６１】
裏地用生地２２６は、実施形態１の裏地用生地２６と同様に、裏右用生地２２６Ｒと、裏左用生地２２６Ｌとを含む。裏地縫合部２２７は、実施形態１の裏地縫合部２７と同様に、裏右縫合部２２７Ｒと、裏左縫合部２２７Ｌと、裏左右縫合部２２７ＲＬとを含む。
【００６２】
裏地縫合部２２７の位置は、表地縫合部２３の位置と、防護衣２の状態で重ならず、ずらされている。詳細には、表右縫合部２３Ｒと裏右縫合部２２７Ｒ、表左縫合部２３Ｌと裏左縫合部２２７Ｌ、及び、表左右縫合部２３ＲＬと表左右縫合部２２７ＲＬが、防護衣２の状態で重ならず、ずらされている。
【００６３】
フード２３０は、表地３１と、裏地２３５とを備えている。
図７（ａ）は、表地３１を示す概略図である。図７（ｂ）は、裏地２３５を示す概略図である。図７に示す裏地２３５は、表地３１と同様に、１枚以上の裏地用生地２３６と、複数の裏地縫合部２３７とを有している。
【００６４】
裏地用生地２３６は、実施形態１の裏地用生地３６と同様に、裏前用生地２３６Ｆと、裏後用生地２３６Ｒとを含む。裏地縫合部２３７は、実施形態１の裏地縫合部３７と同様に、裏前後縫合部２３７ＦＲを含む。
【００６５】
裏地縫合部２３７の位置は、表地縫合部３３の位置と、防護衣２の状態で重ならず、ずらされている。詳細には、表前後縫合部３３ＦＲと裏前後縫合部２３７ＦＲが、防護衣２の状態で重ならず、ずらされている。
【００６６】
以上のように、実施形態２に係る防護衣２は、表地縫合部３３の位置と裏地縫合部２３７の位置とが、防護衣２の状態で重ならず、ずらされている。これにより、防護衣２は、表地縫合部３３から防護衣内部に侵入した液状物が、さらに裏地縫合部２３７から防護衣の裏側（人体側）へ侵入することを防止することができる。
【００６７】
（実施形態３）
実施形態３に係る防護衣は、表地及び裏地の少なくとも一方に縫い付けられているファスナと、ファスナの全体と該ファスナの縫い付け部分とを表地の側から覆うように該表地に縫い付けられ裏地には縫い付けられていない表側ファスナカバーとを備える。これにより、着脱を容易にするために上着などにファスナを取り付けた構成であっても、ファスナの部分及びファスナの縫い付け部分から、液状物が防護衣の裏側（人体側）へ侵入することを防止することができる。
【００６８】
実施形態３に係る防護衣３は、実施形態１の防護衣１と較べ、上着１０の代わりに上着３１０を含み、その他の構成は該防護衣１と同様である。なお、実施形態１の防護衣１と同様の構成要素には同一番号を記し、その説明を省略する。
【００６９】
図８は、上着３１０を示す概略図である。
上着３１０は、実施形態１の上着１０と較べ、ファスナ３１１と、表側ファスナカバー３１２と、裏側ファスナカバー３１３とを備える点のみが異なり、その他の構成は該上着１０と同様である。
【００７０】
図９は、ファスナ３１１を取り付ける部分周辺の断面図である。
表身頃用生地１２Ｃの生地端間と、裏身頃用生地１６Ｃの生地端間に、ファスナ３１１が縫い付けられている（図９中のＡ）。
【００７１】
表側ファスナカバー３１２の長辺の一方が、ファスナ３１１の全体と、ファスナ３１１の縫い付け部分とを、表地１１の側から覆うように、表地１１の表身頃用生地１２Ｃに縫い付けられ（図９中のＢ）、該長辺の他方にはマジックテープ（登録商標）Ｃが貼り付けられており、表側ファスナカバー３１２は裏地１５には縫い付けられていない。
【００７２】
同様に、裏側ファスナカバー３１３の長辺の一方が、ファスナ３１１の全体と、ファスナ３１１の縫い付け部分とを、裏地１５の側から覆うように、裏地１５の裏身頃用生地１６Ｃに縫い付けられ（図９中のＤ）、該長辺の他方にはマジックテープ（登録商標）Ｅが貼り付けられており、裏側ファスナカバー３１３は表地１１には縫い付けられていない。
【００７３】
なお、表側ファスナカバー３１２は、表身頃用生地１２Ｃ及び裏身頃用生地１６Ｃのうちの少なくとも一方に縫い付けられていればよい。また、上着３１０は、少なくとも表側ファスナカバー３１２及び裏側ファスナカバー３１３のうちの一方を備えていればよい。また、表側ファスナカバー３１２及び裏側ファスナカバー３１３には、必ずしもマジックテープを貼り付けなくてもよい。
【００７４】
以上のように、実施形態３に係る防護衣３は、表地１１及び裏地１５の少なくとも一方に縫い付けられているファスナ３１１と、少なくとも表側ファスナカバー３１２と裏側ファスナカバー３１３の一方を備える。表側ファスナカバー３１２はファスナ３１１とその縫い付け部分とを表地１１の側から覆うように表地１１に縫い付けられ、裏地１５には縫い付けられていない。
【００７５】
同様に裏側ファスナカバー３１３はファスナ３１１とその縫い付け部分とを裏地１５の側から覆うように裏地１５に縫い付けられ、表地１１には縫い付けられていない。これにより、ファスナを取り付けた構成であっても、ファスナの部分及びファスナの縫い付け部分から、液状物が防護衣の裏側（人体側）へ侵入することを防止することができる。
【００７６】
（実施形態４）
実施形態４に係る防護衣セットは、実施形態１〜３のいずれかに記載の防護衣と、液状物の浸透を抑制する機能を有する防護グローブと、液状物の浸透を抑制する機能を有する防護シューズとを備え、前記防護衣には、少なくとも、袖口及び裾に開口部分がある。これにより、該防護衣セットは、防護衣の袖口及び裾の開口部分から液状物が人体に接触することを防止することができる。
【００７７】
図１０は、実施形態４に係る防護衣セットの概略図である。
図１０に示すように防護衣セット４００は、実施形態１の防護衣１と、防護グローブ４０１と、防護シューズ４０２とを備える。
防護衣１には、両袖口及び両裾に開口部分がある。
【００７８】
防護グローブ４０１は、少なくとも防護衣１と同等の液状物の浸透を抑制する機能を有する作業用手袋である。例えば、防護グローブ４０１には、特開２００８−２１４７６８号公報及び特開２００８−２１４７６９号公報に開示された防護手袋を用いることができる。
【００７９】
防護グローブ４０１と防護衣１の袖口との隙間から液状物が浸透するのを防ぐために、防護グローブ４０１と防護衣１の袖口とを互いに重ね合わせる部分が必要であり、この部分を袖口重ね代と呼ぶこととする。
【００８０】
防護シューズ４０２は、少なくとも防護衣１と同等の液状物の浸透を抑制する機能を有する作業靴である。
【００８１】
防護シューズ４０２と防護衣１の袖口との隙間から液状物が浸透するのを防ぐために、防護シューズ４０２と防護衣１の裾とを互いに重ね合わせる部分が必要であり、この部分を裾重ね代と呼ぶこととする。
【００８２】
なお、防護衣セット４００において、実施形態１の防護衣１の代わりに、実施形態２の防護衣２、又は、実施形態３の防護衣３を用いることもできる。また、特に矛盾が生じない限り、各実施形態は適宜組み合わせることができる。
【００８３】
以上のように、実施形態４に係る防護衣セット４００は、少なくとも袖口及び裾に開口部分がある防護衣と、手を防護する防護グローブと、足を防護する防護シューズとを備えるので、防護衣の袖口及び裾の開口部分から液状物が人体に接触することを防止することができる。
【実施例】
【００８４】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。本発明で用いた測定法は以下の通りである。
【００８５】
厚さ：    ＪＩＳ  Ｌ１０９６による。
質量：    ＪＩＳ  Ｌ１０９６による。
通気性：  ＪＩＳ  Ｌ１０９６による。
撥水度：  ＪＩＳ  Ｌ１０９２による。
撥油度：  ＡＡＴＣＣ−１１８による。
浸透指数：ＪＩＳ  Ｔ８１１５付属書２に準じ、ろ紙及び透明フィルムに試験液が少しでも浸透した場合は「×（浸透あり）」と判定し、全く浸透しなかった場合は「○（浸透なし）」と判定した。
【００８６】
（表地用生地）
表地用生地を以下の方法で作製した。綿糸４０番手を使った平織物に、フッ素系撥水・撥油加工剤（クラリアントジャパン（株）  ＮＵＶＡ  ＴＴＣ）を用いて樹脂固形分で０．３ｗｔ％（質量パーセント濃度）付着した。得られた織物は、厚さ０．２２ｍｍ、質量１６８ｇ／ｍ２、通気度は水位計１．２７ｃｍの圧力差で１５ｃｍ３／ｃｍ２・ｓ、撥水度５、撥油度６級であった。
【００８７】
（裏地用生地）
裏地用生地を以下の方法で作製した。ポリエステルフィラメント２２ｄｔｅｘを使った平織物にフッ素系撥水・撥油加工剤（クラリアントジャパン（株）  ＮＵＶＡ  ＴＴＣ）を用いて樹脂固形分で０．３ｗｔ％（質量パーセント濃度）付着した。このようにして得られた織物は、厚さ０．０８ｍｍ、質量５３ｇ／ｍ２、通気度は水位計１．２７ｃｍの圧力差で１８ｃｍ３／ｃｍ２・ｓ、撥水度５、撥油度６級であった。
【００８８】
（実施例１）
上記表地用生地にポリエステル糸（５０番）を用いてなみ縫いを施したものと、上記裏地用生地にポリエステル糸（５０番）を用いてなみ縫いを施したものとを作製し、これらを縫い目の位置が重ならないように重ね合わせて実施例１の防護衣用生地とした。該防護衣用生地を用いて浸透指数試験を行ったところ、「○（浸透なし）」との良好な結果が得られた。
【００８９】
（実施例２）
上記表地用生地にポリエステル糸（５０番）の糸を用いてなみ縫いを施したものと、上記裏地用生地にポリエステル糸（５０番）の糸を用いてなみ縫いを施したものとを作製し、これらを縫い目の位置が重なるように重ね合わせて実施例２の防護衣用生地とした。該防護衣用生地を用いて浸透指数試験を行ったところ、「○（浸透なし）」との良好な結果が得られた。
【００９０】
（参考例１）
上記表地用生地及び上記裏地用生地の両方になみ縫いを施すことなく、これらを重ね合わせて参考例１の防護衣用生地とした。該防護衣用生地を用いて浸透指数試験を行ったところ、「○（浸透なし）」との良好な結果が得られた。
【００９１】
（比較例１）
上記表地用生地と上記裏地用生地とを重ね合わせて、これらにポリエステル糸（５０番）を用いて２枚の生地を貫通するようになみ縫いを施すことにより、該表地用生地と該裏地用生地とを縫い合わせて比較例１の防護衣用生地とした。該防護衣用生地を用いて浸透指数試験を行ったところ、「×（浸透あり）」との良くない結果が得られた。
【００９２】
実施例１、２、参考例１、比較例１における浸透指数試験の結果の一覧を表１に示す。
【００９３】
【表１】
2015221948.tif 000003
【符号の説明】
【００９４】
１〜３      防護衣
１０        上着
１１        表地
１１Ｒ      表右袖口開口部分
１１Ｌ      表左袖口開口部分
１１Ｎ      表首回り開口部分
１１Ｗ      表腹部開口部分
１２        表地用生地
１２Ｒ      表右袖用生地
１２Ｌ      表左袖用生地
１２Ｃ      表身頃用生地
１３        表地縫合部
１３Ｒ      表右袖縫合部
１３Ｌ      表左袖縫合部
１３Ｃ      表身頃縫合部
１３ＲＣ    表右袖身頃縫合部
１３ＬＣ    表左袖身頃縫合部
１４Ｒ      表右袖
１４Ｌ      表左袖
１４Ｃ      表身頃
１５        裏地
１５Ｒ      裏右袖口開口部分
１５Ｌ      裏左袖口開口部分
１５Ｎ      裏首回り開口部分
１５Ｗ      裏腹部開口部分
１６        裏地用生地
１６Ｒ      裏右袖用生地
１６Ｌ      裏左袖用生地
１６Ｃ      裏身頃用生地
１７        裏地縫合部
１７Ｒ      裏右袖縫合部
１７Ｌ      裏左袖縫合部
１７Ｃ      裏身頃縫合部
１７ＲＣ    裏右袖身頃縫合部
１７ＬＣ    裏左袖身頃縫合部
１８Ｒ      裏右袖
１８Ｌ      裏左袖
１８Ｃ      裏身頃
１９Ｒ      右袖口縫合部
１９Ｌ      左袖口縫合部
１９Ｎ      首回り縫合部
１９Ｗ      腹部縫合部
２０        ズボン
２１        表地
２１Ｒ      表右裾開口部分
２１Ｌ      表左裾開口部分
２１Ｗ      表腹部開口部分
２２        表地用生地
２２Ｒ      表右用生地
２２Ｌ      表左用生地
２３        表地縫合部
２３Ｒ      表右縫合部
２３Ｌ      表左縫合部
２３ＲＬ    表左右縫合部
２４Ｒ      表右ズボン
２４Ｌ      表左ズボン
２５        裏地
２５Ｒ      裏右裾開口部分
２５Ｌ      裏左裾開口部分
２５Ｗ      裏腹部開口部分
２６        裏地用生地
２６Ｒ      裏右用生地
２６Ｌ      裏左用生地
２７        裏地縫合部
２７Ｒ      裏右縫合部
２７Ｌ      裏左縫合部
２７ＲＬ    裏左右縫合部
２８Ｒ      裏右ズボン
２８Ｌ      裏左ズボン
２９        縫合部
２９Ｒ      右裾縫合部
２９Ｌ      左裾縫合部
２９Ｗ      腹部縫合部
３０        フード
３１        表地
３１Ｒ      表右目開口部分
３１Ｌ      表左目開口部分
３１Ｍ      表鼻口開口部分
３１Ｎ      表首回り開口部分
３２        表地用生地
３２Ｆ      表前用生地
３２Ｒ      表後用生地
３３        表地縫合部
３３ＦＲ    表前後縫合部
３５        裏地
３５Ｒ      裏右目開口部分
３５Ｌ      裏左目開口部分
３５Ｍ      裏鼻口開口部分
３５Ｎ      表首回り開口部分
３６        裏地用生地
３６Ｆ      裏前用生地
３６Ｒ      裏後用生地
３７        裏地縫合部
３７ＦＲ    裏前後縫合部
３８Ｎ      首回り縫合部
２１０      上着
２１５      裏地
２１６      裏地用生地
２１６Ｒ    裏右袖用生地
２１６Ｌ    裏左袖用生地
２１６Ｃ    裏身頃用生地
２１７      裏地縫合部
２１７Ｒ    裏右袖縫合部
２１７Ｌ    裏左袖縫合部
２１７Ｃ    裏身頃縫合部
２１７ＲＣ  裏右袖身頃縫合部
２１７ＬＣ  裏左袖身頃縫合部
２２０      ズボン
２２５      裏地
２２６      裏地用生地
２２６Ｒ    裏右用生地
２２６Ｌ    裏左用生地
２２７      裏地縫合部
２２７Ｒ    裏右縫合部
２２７Ｌ    裏左縫合部
２２７ＲＬ  裏左右縫合部
２３０      フード
２３５      裏地
２３６      裏地用生地
２３６Ｆ    裏前用生地
２３６Ｒ    裏後用生地
２３７      裏地縫合部
２３７ＦＲ  裏前後縫合部
３１０      上着
３１１      ファスナ
３１２      表側ファスナカバー
３１３      裏側ファスナカバー
４００      防護衣セット
４０１      防護グローブ
４０２      防護シューズ
【図１】
2015221948.tif 000004
【図２】
2015221948.tif 000005
【図３】
2015221948.tif 000006
【図４】
2015221948.tif 000007
【図５】
2015221948.tif 000008
【図６】
2015221948.tif 000009
【図７】
2015221948.tif 000010
【図８】
2015221948.tif 000011
【図９】
2015221948.tif 000012
【図１０】
2015221948.tif 000013
【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
液状物の浸透を抑制する防護衣であって、
少なくとも表地と裏地とを備え、
前記表地は、
１枚以上の表地用生地と、
前記表地用生地の生地端同士を縫合している表地縫合部とを有し、
前記裏地は、
１枚以上の裏地用生地と、
前記裏地用生地の生地端同士を縫合している裏地縫合部とを有し、
前記表地縫合部の位置と前記裏地縫合部の位置とが、前記防護衣の状態で重ならず、全てずらされていることを特徴とする防護衣。
【請求項２】
前記表地と前記裏地は、前記表地の開口部分と前記裏地の開口部分のみで互いに縫い合わされている請求項１に記載の防護衣。
【請求項３】
前記表地の前記開口部分と、前記裏地の前記開口部分とが、各開口部分の端から２０ｍｍ幅の領域内において縫合されている請求項１又は２に記載の防護衣。
【請求項４】
前記裏地用生地は活性炭を含む請求項１〜３のいずれか１項に記載の防護衣。
【請求項５】
前記表地用生地は、
表袖用生地と表身頃用生地とを含み、
前記表地縫合部は、
前記表袖用生地の生地端同士を縫合して、表袖を縫製している表袖縫合部と、
前記表身頃用生地の生地端同士を縫合して、表身頃を縫製している表身頃縫合部と、
前記表袖と前記表身頃とを縫合している表袖身頃縫合部とを含み、
前記裏地用生地は、
裏袖用生地と裏身頃用生地とを含み、
前記裏地縫合部は、
前記裏袖用生地の生地端同士を縫合して、裏袖を縫製している裏袖縫合部と、
前記裏身頃用生地の生地端同士を縫合して、裏身頃を縫製している裏身頃縫合部と、
前記裏袖と前記裏身頃とを縫合している裏袖身頃縫合部とを含む請求項１〜４のいずれか１項に記載の防護衣。
【請求項６】
さらに、
前記表地及び前記裏地の少なくとも一方に縫い付けられているファスナと、
前記ファスナの全体と、該ファスナの縫い付け部分とを、前記表地の側から覆うように、該表地に縫い付けられ、前記裏地には縫い付けられていない表側ファスナカバーとを備える請求項１〜５のいずれか１項に記載の防護衣。
【請求項７】
さらに、
前記表地及び前記裏地の少なくとも一方に縫い付けられているファスナと、
前記ファスナの全体と、該ファスナの縫い付け部分とを、前記裏地の側から覆うように、該裏地に縫い付けられ、前記表地には縫い付けられていない裏側ファスナカバーとを備える請求項１〜５のいずれか１項に記載の防護衣。
【請求項８】
請求項１〜７のいずれか１項に記載の防護衣と、
液状物の浸透を抑制する機能を有する防護グローブと、
液状物の浸透を抑制する機能を有する防護シューズと、
液状物の浸透を抑制する機能を有する防護マスクと、を備え、
前記防護衣には、少なくとも、袖口及び裾に開口部分があることを特徴とする防護衣セット。